(57)【要約】【課題】バリアブル印刷の生産性を向上させることが可能な印刷管理装置およびプログラムを提供する。【解決手段】印刷指示装置が印刷指示を受け付けると、ＤＢに保存されているバリアブルデータを取得し、印刷指示を印刷管理装置に送信するとともに、バリアブルデータを印刷管理装置に送信する。印刷管理装置は印刷指示装置からの印刷指示とバリアブルデータとを受信すると、各印刷装置から印刷装置情報を取得し、バリアブルデータと当該バリアブルデータに対応するフォームデータに基づき、バリアブルデータの構造を解析し、各印刷装置の印刷装置情報と、バリアブルデータの構造とに基づき、バリアブルデータを分割し、分割バリアブルデータを所定の印刷装置に対して送信する。各印刷装置は印刷管理装置からの分割したバリアブルデータを受信すると、バリアブル印刷を実行する。【選択図】図１
2008112376.tif 000002
【特許請求の範囲】
【請求項１】
通信回線を介して接続する印刷指示装置と複数の印刷装置とで一部の内容が一枚毎に異なるバリアブル印刷を行なう印刷管理装置において、
前記印刷指示装置から前記バリアブル印刷の指示を受け付けた際に、共通データであるフォームデータと、一枚毎に異なるデータであるバリアブルデータとに基づいて該バリアブルデータを解析するバリアブルデータ解析手段と、
各印刷装置から印刷装置情報を取得する印刷装置情報取得手段と、
前記バリアブルデータ解析手段による前記バリアブルデータの解析の結果と、前記印刷装置情報取得手段で取得した各印刷装置の印刷装置情報とに基づいて該バリアブルデータを分割する分割手段と、
前記分割手段で分割したバリアブルデータを所定の印刷装置に送信する送信手段と
を具備することを特徴とする印刷管理装置。
【請求項２】
前記分割手段は、
前記印刷装置情報に基づいて前記バリアブルデータの分割の割合を決定する
ことを特徴とする請求項１記載の印刷管理装置。
【請求項３】
前記バリアブルデータ解析手段は、
前記バリアブルデータをフォームデータに合成することで、該バリアブルデータの最終印刷物のページ数を解析する
ことを特徴とする請求項１記載の印刷管理装置。
【請求項４】
前記分割手段は、
前記バリアブルデータに含まれる特定情報に基づき、該バリアブルデータ毎に送信する印刷装置を決定する
ことを特徴とする請求項１記載の印刷管理装置。
【請求項５】
通信回線を介して接続する印刷指示装置と複数の印刷装置とで一部の内容が一枚毎に異なるバリアブル印刷を行なう印刷管理プログラムにおいて、
前記印刷指示装置から前記バリアブル印刷の指示を受け付けた際に、共通データであるフォームデータと、一枚毎に異なるデータであるバリアブルデータとに基づいて該バリアブルデータを解析する処理と、
各印刷装置から印刷装置情報を取得する処理と、
前記バリアブルデータの解析の結果と、前記取得した各印刷装置の印刷装置情報とに基づいて該バリアブルデータを分割する処理と、
前記分割したバリアブルデータを所定の印刷装置に送信する処理と
をコンピュータに動作させることを特徴とする印刷管理プログラム。
【請求項６】
前記印刷装置情報に基づいて前記バリアブルデータの分割の割合を決定する処理
をコンピュータに動作させることを特徴とする請求項５記載の印刷管理プログラム。
【請求項７】
前記バリアブルデータをフォームデータに合成することで、該バリアブルデータの最終印刷物のページ数を解析する処理
をコンピュータに動作させることを特徴とする請求項５記載の印刷管理プログラム。
【請求項８】
前記バリアブルデータに含まれる特定情報に基づき、該バリアブルデータ毎に送信する印刷装置を決定する処理
をコンピュータに動作させることを特徴とする請求項５記載の印刷管理プログラム。
【発明の詳細な説明】
【技術分野】
【０００１】
本発明は、印刷管理装置およびプログラムに関し、特に、１つの紙面パターンを多数印刷する際に、１枚毎に紙面の一部が差し替えられるバリアブル印刷を行なう印刷管理装置およびプログラムに関する。
【背景技術】
【０００２】
従来、複数ページや複数部数の印刷を必要とする１度の印刷要求に基づいて生成される複数の印刷ジョブを、ネットワーク等の通信回線に接続された複数のプリンタに分散して印刷を行う分散印刷システムがある。このような分散印刷システムを用いることにより、複数枚からなる大量の文書の印刷を高速に実行することが可能になる。
【０００３】
例えば、マスタ機に入力された画像データの一部を連結画像データとしてスレーブ機でプリント出力させ、出力先情報をユーザ端末に出力する連結画像形成システムがある（例えば、特許文献１参照。）。
【０００４】
更に、例えば、印刷ジョブの属性を検出し、検出した属性に応じて、印刷ジョブを最小分割単位に分割し、分割した印刷ジョブを複数のプリンタに分散出力する分散印刷制御装置、分散印刷システム、分散印刷方法、コンピュータ読み取り可能な記録媒体、及びコンピュータプログラムがある（例えば、特許文献２参照。）。
【０００５】
更に、例えば、全ての利用可能なリソースのそれぞれの処理能力に応じて、ジョブを適正に分散して、ジョブの実行効率を確保する協調ネットワークシステムがある（例えば、特許文献３参照。）。
【特許文献１】特開２００３−２５６１５６号公報
【特許文献２】特開２００３−２２１７０号公報
【特許文献３】特開２００２−１６３２４０号公報
【発明の開示】
【発明が解決しようとする課題】
【０００６】
近年、大量のダイレクトメール、クレジットカードの請求書等の印刷を高速化するため、共通データであるフォームデータを印刷装置に予め登録し、印刷時に個人情報等のバリアブルデータと登録したフォームデータとを合成して印刷するバリアブル印刷が利用されているが、バリアブル印刷に対して生産性の向上が要求されているものの、現状ではバリアブル印刷の更なる高速化は困難である。
【０００７】
そこで、本発明は、バリアブル印刷の生産性を向上させることが可能な印刷管理装置およびプログラムを提供することを目的とする。
【課題を解決するための手段】
【０００８】
上記目的を達成するため、請求項１の発明は、通信回線を介して接続する印刷指示装置と複数の印刷装置とで一部の内容が一枚毎に異なるバリアブル印刷を行なう印刷管理装置において、前記印刷指示装置から前記バリアブル印刷の指示を受け付けた際に、共通データであるフォームデータと、一枚毎に異なるデータであるバリアブルデータとに基づいて該バリアブルデータを解析するバリアブルデータ解析手段と、各印刷装置から印刷装置情報を取得する印刷装置情報取得手段と、前記バリアブルデータ解析手段による前記バリアブルデータの解析の結果と、前記印刷装置情報取得手段で取得した各印刷装置の印刷装置情報とに基づいて該バリアブルデータを分割する分割手段と、前記分割手段で分割したバリアブルデータを所定の印刷装置に送信する送信手段とを具備することを特徴とする。
【０００９】
また、請求項２の発明は、請求項１の発明において、前記分割手段は、前記印刷装置情報に基づいて前記バリアブルデータの分割の割合を決定することを特徴とする。
【００１０】
また、請求項３の発明は、請求項１の発明において、前記バリアブルデータ解析手段は、前記バリアブルデータをフォームデータに合成することで、該バリアブルデータの最終印刷物のページ数を解析することを特徴とする。
【００１１】
また、請求項４の発明は、請求項１の発明において、前記分割手段は、前記バリアブルデータに含まれる特定情報に基づき、該バリアブルデータ毎に送信する印刷装置を決定することを特徴とする。
【００１２】
また、請求項５の発明は、通信回線を介して接続する印刷指示装置と複数の印刷装置とで一部の内容が一枚毎に異なるバリアブル印刷を行なう印刷管理プログラムにおいて、前記印刷指示装置から前記バリアブル印刷の指示を受け付けた際に、共通データであるフォームデータと、一枚毎に異なるデータであるバリアブルデータとに基づいて該バリアブルデータを解析する処理と、各印刷装置から印刷装置情報を取得する処理と、前記バリアブルデータの解析の結果と、前記取得した各印刷装置の印刷装置情報とに基づいて該バリアブルデータを分割する処理と、前記分割したバリアブルデータを所定の印刷装置に送信する処理とをコンピュータに動作させることを特徴とする。
【００１３】
また、請求項６の発明は、請求項５の発明において、前記印刷装置情報に基づいて前記バリアブルデータの分割の割合を決定する処理をコンピュータに動作させることを特徴とする。
【００１４】
また、請求項７の発明は、請求項５の発明において、前記バリアブルデータをフォームデータに合成することで、該バリアブルデータの最終印刷物のページ数を解析する処理をコンピュータに動作させることを特徴とする。
【００１５】
また、請求項８の発明は、請求項５の発明において、前記バリアブルデータに含まれる特定情報に基づき、該バリアブルデータ毎に送信する印刷装置を決定する処理をコンピュータに動作させることを特徴とする。
【発明の効果】
【００１６】
本発明によれば、バリアブル印刷における分散印刷を行なうことで、生産性を向上させることが可能になるという効果を奏する。
【発明を実施するための最良の形態】
【００１７】
以下、本発明に係る印刷管理装置およびプログラムの実施の形態について添付図面を参照して詳細に説明する。
【実施例１】
【００１８】
図１は、本発明に係る印刷管理装置１の機能的な構成の実施例１を示すブロック図である。
【００１９】
図１に示すように、印刷指示装置２と印刷管理装置１とが通信回線を介して接続され（ネットワーク接続またはローカル接続）、更に印刷管理装置１とバリアブル印刷を行なう複数の印刷装置３とが通信回線を介して接続され、バリアブル印刷システム４を形成している。バリアブル印刷の印刷データのうち顧客情報（例えば、名前、住所、電話番号等）等の印刷物１枚毎に差し替えられるバリアブルデータはＤＢ［database］５に保存され、ＤＢ５と印刷指示装置２とは通信回線を通して接続され、また、バリアブル印刷の印刷データのうちイメージ、表等のレイアウト固定部分であり印刷物全てに共通するフォームデータは各印刷装置３に登録されている。なお、本発明ではＤＢ５を印刷指示装置２に内蔵する構成も適用可能である。
【００２０】
図１に示すように、印刷指示装置２は、印刷指示部６、バリアブルデータ管理部７、フォームデータ作成部８、通信部９１を具備して構成される。
【００２１】
印刷指示部６は、バリアブル印刷の開始を指示する処理を行い、バリアブル印刷の開始の指示を通信部９１を介して印刷管理装置１に送信する。
【００２２】
バリアブルデータ管理部７は、ＤＢ５に保存されているバリアブルデータの管理を行い、印刷指示部６がバリアブル印刷の開始の指示を受け付けた際に、バリアブル印刷に用いられるバリアブルデータをＤＢ５から取得して通信部９１を介して印刷管理装置１に送信する。
【００２３】
フォームデータ作成部８は、フォームデータを作成する処理を行い、作成したフォームデータを通信部９１を介して印刷管理装置１に送信する。
【００２４】
通信部９１は、通信回線を介して印刷指示装置２と印刷管理装置１とが通信を行うためのモジュールである。
【００２５】
図１に示すように、印刷管理装置１は、フォームデータ保管部１０、フォームデータ操作部１１、印刷装置情報取得部１２、バリアブルデータ解析部１３、分割部１４、送信部１５、通信部（９２、９３）を具備して構成される。
【００２６】
なお、印刷管理装置１はハードウェア的には汎用のサーバコンピュータで実現でき、各構成要素が有する処理機能は、サーバコンピュータで本発明に係る印刷管理プログラムを起動させることによって発揮され、この場合には、プログラムの組み方により機能的には同一となるが、必ずしも図１に示す構成と同一になるとは限らない。また、各構成要素をＩＣ等を用いてハードウェアによる構築で構成することも可能である。
【００２７】
通信部９２は、通信回線を介して印刷指示装置２と印刷管理装置１とが通信を行うためのモジュールであり、通信部９３は、通信回線を介して印刷管理装置１と複数の印刷装置３とが通信を行うためのモジュールである。
【００２８】
フォームデータ保管部１０は、印刷指示装置２からのフォームデータを保管する。
【００２９】
フォームデータ操作部１１は、フォームデータ保管部１０に保管しているフォームデータを各印刷装置３に登録する処理を行い、更に印刷装置３に登録したフォームデータの削除、更新等を行なう。
【００３０】
印刷装置情報取得部１２は、印刷指示装置２からバリアブルデータを受信した際に、各印刷装置３から処理中のジョブ数等の印刷装置情報を取得する処理を行なう。
【００３１】
バリアブルデータ解析部１３は、印刷指示装置２からバリアブルデータを受信した際に、当該バリアブルデータに対応するフォームデータをフォームデータ保管部１０から取得し、取得したフォームデータと当該バリアブルデータとに基づき、バリアブルデータの構造（例えば、バリアブルデータの最終印刷物のページ数等）を解析する。具体的には、バリアブルデータそのものからバリアブルデータの分割箇所を解析することが不可能であるため、バリアブルデータ解析部１３はバリアブルデータをフォームデータに合成することで、バリアブルデータの最終印刷物のページ数等を解析している。
【００３２】
分割部１４は、印刷装置情報取得部１２で取得した各印刷装置３の印刷装置情報と、バリアブルデータ解析部１３で解析したバリアブルデータの構造とに基づき、バリアブルデータの分割の割合を決定し、決定した割合に応じてバリアブルデータを分割する処理を行なう。
【００３３】
送信部１５は、分割部１４で分割した分割バリアブルデータを所定の印刷装置３に対して送信する処理を行なう。
【００３４】
次に、印刷指示装置２から印刷管理装置１を介した印刷装置３へのフォームデータの登録の処理について説明する。
【００３５】
図２は、印刷指示装置から印刷管理装置を介した印刷装置へのフォームデータの登録の処理について説明するシーケンス図である。
【００３６】
印刷指示装置のフォームデータ作成部はフォームデータを作成し（ステップＳ２０１）、フォームデータ作成部はフォームデータを印刷管理装置に送信する（ステップＳ２０２）。
【００３７】
印刷管理装置は印刷指示装置からのフォームデータを受信すると、フォームデータ保管部は受信したフォームデータを保存し（ステップＳ２０３）、フォームデータ操作部は当該フォームデータを各印刷装置に送信する（ステップＳ２０４、ステップＳ２０６）。
【００３８】
各印刷装置は印刷管理装置からのフォームデータを受信すると、受信したフォームデータを保存し（ステップＳ２０５、ステップＳ２０７）、処理手順を終了する。
【００３９】
次に、印刷指示装置２、印刷管理装置１および印刷装置３で行なわれるバリアブル印刷の処理について説明する。
【００４０】
図３は、印刷指示装置、印刷管理装置および印刷装置で行なわれるバリアブル印刷の処理について説明するシーケンス図である。
【００４１】
印刷指示装置の印刷指示部が印刷指示を受け付けると（ステップＳ３０１）、バリアブルデータ管理部はＤＢに保存されているバリアブルデータを取得し（ステップＳ３０２）、印刷指示部が印刷指示を印刷管理装置に送信するとともに、バリアブルデータ管理部がバリアブルデータを印刷管理装置に送信する（ステップＳ３０３）。
【００４２】
印刷管理装置は印刷指示装置からの印刷指示とバリアブルデータとを受信すると、印刷装置情報取得部は各印刷装置から印刷装置情報を取得し（ステップＳ３０４、ステップＳ３０５）、バリアブルデータ解析部は受信したバリアブルデータと当該バリアブルデータに対応するフォームデータに基づき、バリアブルデータの構造を解析し（ステップＳ３０６）、分割部は各印刷装置の印刷装置情報と、解析したバリアブルデータの構造とに基づき、バリアブルデータを分割し（ステップＳ３０７）、送信部は分割したバリアブルデータを所定の印刷装置に対して送信する（ステップＳ３０８、ステップＳ３１０）。
【００４３】
各印刷装置は印刷管理装置からの分割したバリアブルデータを受信すると、バリアブル印刷を実行し（ステップＳ３０９、ステップＳ３１１）、処理手順を終了する。
【実施例２】
【００４４】
図４は、本発明に係る印刷管理装置１の機能的な構成の実施例２を示すブロック図である。
【００４５】
図４に示すように、印刷指示装置２と印刷管理装置１およびバリアブル印刷を行なう印刷装置Ａ、Ｂ、Ｃ（３１、３２、３３）とが通信回線を介して接続され（ネットワーク接続またはローカル接続）、更に印刷管理装置１とバリアブル印刷を行なう印刷装置Ａ、Ｂ、Ｃ（３１、３２、３３）とが通信回線を介して接続され、バリアブル印刷システムを形成している。バリアブル印刷の印刷データのうち顧客情報（例えば、名前、住所、電話番号等）等の印刷物１枚毎に差し替えられるバリアブルデータはＤＢ［database］５に保存され、ＤＢ５と印刷指示装置２とは通信回線を通して接続され、また、バリアブル印刷の印刷データのうちイメージ、表等のレイアウト固定部分であり印刷物全てに共通するフォームデータは印刷装置Ａ、Ｂ、Ｃ（３１、３２、３３）に登録されている。なお、本発明ではＤＢ５を印刷指示装置２に内蔵する構成も適用可能である。
【００４６】
図４に示すように、印刷指示装置２は、印刷指示部６、バリアブルデータ管理部７、フォームデータ作成部８、通信部９１を具備して構成される。
【００４７】
印刷指示部６は、バリアブル印刷の開始を指示する処理を行い、バリアブル印刷の開始の指示を通信部９１を介して印刷管理装置１に送信する。
【００４８】
バリアブルデータ管理部７は、ＤＢ５に保存されているバリアブルデータの管理を行い、印刷指示部６がバリアブル印刷の開始の指示を受け付けた際に、バリアブル印刷に用いられるバリアブルデータをＤＢ５から取得して通信部９１を介して印刷管理装置１に送信する。
【００４９】
フォームデータ作成部８は、フォームデータを作成する処理を行い、作成したフォームデータを通信部９１を介して印刷装置Ａ、Ｂ、Ｃ（３１、３２、３３）に送信する。
【００５０】
通信部９１は、通信回線を介して印刷指示装置２と印刷管理装置１および印刷装置Ａ、Ｂ、Ｃ（３１、３２、３３）とが通信を行うためのモジュールである。
【００５１】
図４に示すように、印刷管理装置１は、印刷装置情報取得部１２、フォームデータ取得部１６、バリアブルデータ解析部１３、分割部１４、送信部１５、通信部（９２、９３）を具備して構成される。
【００５２】
なお、印刷管理装置１はハードウェア的には汎用のサーバコンピュータで実現でき、各構成要素が有する処理機能は、サーバコンピュータで本発明に係る印刷管理プログラムを起動させることによって発揮され、この場合には、プログラムの組み方により機能的には同一となるが、必ずしも図１に示す構成と同一になるとは限らない。また、各構成要素をＩＣ等を用いてハードウェアによる構築で構成することも可能である。
【００５３】
通信部９２は、通信回線を介して印刷指示装置２と印刷管理装置１とが通信を行うためのモジュールであり、通信部９３は、通信回線を介して印刷管理装置１と印刷装置Ａ、Ｂ、Ｃ（３１、３２、３３）とが通信を行うためのモジュールである。
【００５４】
印刷装置情報取得部１２は、印刷指示装置２からバリアブルデータを受信した際に、印刷装置Ａ、Ｂ、Ｃ（３１、３２、３３）から処理中のジョブ数等の印刷装置情報を取得する処理を行なう。
【００５５】
フォームデータ取得部１６は、印刷装置指示装置２からバリアブルデータを受信した際に、当該バリアブルデータに対応するフォームデータを印刷装置Ａ、Ｂ、Ｃ（３１、３２、３３）から取得する処理を行なう。
【００５６】
バリアブルデータ解析部１３は、印刷指示装置２からバリアブルデータを受信した際に、フォームデータ取得部１６で取得したフォームデータと、当該バリアブルデータとに基づき、バリアブルデータの構造（例えば、バリアブルデータの最終印刷物のページ数等）を解析する。具体的には、バリアブルデータそのものからバリアブルデータの分割箇所を解析することが不可能であるため、バリアブルデータ解析部１３はバリアブルデータをフォームデータに合成することで、バリアブルデータの最終印刷物のページ数等を解析している。
【００５７】
分割部１４は、印刷装置情報取得部１２で取得した各印刷装置（３１、３２、３３）の印刷装置情報と、バリアブルデータ解析部１３で解析したバリアブルデータの構造とに基づき、バリアブルデータの分割の割合を決定し、決定した割合に応じてバリアブルデータを分割する処理を行なう。
【００５８】
送信部１５は、分割部１４で分割した分割バリアブルデータを所定の印刷装置（３１、３２、３３）に対して送信する処理を行なう。
【００５９】
図４に示すように、印刷装置Ａ３１は、フォームデータ保管部１０、印刷装置情報転送部１７、出力部１８、通信部９４を具備して構成される。
【００６０】
フォームデータ保管部１０は、印刷指示装置２からのフォームデータを保管する。
【００６１】
印刷装置情報転送部１７は、印刷管理装置１からの印刷装置情報の要求に応え、印刷管理装置１に対して印刷装置情報を転送する処理を行なう。
【００６２】
出力部１８は、印刷管理装置１からバリアブルデータを受信した際に、受信したバリアブルデータと、フォームデータ保管部１０で保管しているフォームデータとに基づいてバリアブル印刷を行なう。
【００６３】
なお、印刷装置Ｂ３２および印刷装置Ｃ３３は印刷装置Ａ３１と略同様の構成であるため、詳細な説明は省略する。
【００６４】
次に、印刷指示装置２から印刷管理装置１を介した印刷装置Ａ、Ｂ、Ｃ（３１、３２、３３）へのフォームデータの登録の処理について説明する。
【００６５】
図５は、印刷指示装置から印刷管理装置を介した印刷装置Ａ、Ｂ、Ｃへのフォームデータの登録の処理について説明するシーケンス図である。
【００６６】
印刷指示装置のフォームデータ作成部はフォームデータを作成し（ステップＳ５０１）、フォームデータ作成部はフォームデータを各印刷装置に送信する（ステップＳ５０２、ステップＳ５０４、ステップＳ５０６）。
【００６７】
各印刷装置は印刷指示装置からのフォームデータを受信すると、各印刷装置のフォームデータ保管部は受信したフォームデータを保存し（ステップＳ５０３、ステップＳ５０５、ステップＳ５０７）、処理手順を終了する。
【００６８】
次に、印刷指示装置２、印刷管理装置１および印刷装置Ａ、Ｂ、Ｃ（３１、３２、３３）で行なわれるバリアブル印刷の処理について説明する。
【００６９】
図６は、印刷指示装置、印刷管理装置および印刷装置Ａ、Ｂ、Ｃで行なわれるバリアブル印刷の処理について説明するシーケンス図である。
【００７０】
印刷指示装置の印刷指示部が印刷指示を受け付けると（ステップＳ６０１）、バリアブルデータ管理部はＤＢに保存されているバリアブルデータを取得し（ステップＳ６０２）、印刷指示部が印刷指示を印刷管理装置に送信するとともに、バリアブルデータ管理部がバリアブルデータを印刷管理装置に送信する（ステップＳ６０３）。
【００７１】
印刷管理装置は印刷指示装置からの印刷指示とバリアブルデータとを受信すると、印刷装置情報取得部は各印刷装置の印刷装置情報転送部から印刷装置情報を取得し（ステップＳ６０４、ステップＳ６０５、ステップＳ６０６）、バリアブルデータ解析部は受信したバリアブルデータと当該バリアブルデータに対応するフォームデータに基づき、バリアブルデータの構造を解析し（ステップＳ６０７）、分割部は各印刷装置の印刷装置情報と、解析したバリアブルデータの構造とに基づき、バリアブルデータを分割し（ステップＳ６０８）、送信部は分割したバリアブルデータを所定の印刷装置に対して送信する（ステップＳ６０９、ステップＳ６１１、ステップＳ６１３）。
【００７２】
各印刷装置は印刷管理装置からの分割したバリアブルデータを受信すると、各印刷装置の出力部はバリアブル印刷を実行し（ステップＳ６１０、ステップＳ６１２、ステップＳ６１４）、処理手順を終了する。
【実施例３】
【００７３】
図７は、本発明に係る印刷管理装置を適用したバリアブル印刷システムによる分散印刷の具体例を示す図である。
【００７４】
図７に示すように、印刷管理装置は東京に設置され、各印刷装置は札幌、名古屋、大阪、福岡に設置されている。
【００７５】
印刷管理装置はバリアブルデータを受け付けると、バリアブルデータを解析することで特定情報を抽出し、抽出した特定情報に基づいて送信する印刷装置を決定する。図７では、印刷管理装置はバリアブルデータから住所を抽出し、抽出した住所に基づいて送信する印刷装置を決定している。従って、印刷物の郵送費の削減や、郵送時間の短縮を実現することができる。例えば、住所が札幌市の場合は札幌に設置された印刷装置に送信し、住所が名古屋市の場合は名古屋に設置された印刷装置に送信し、住所が大阪市の場合は大阪に設置された印刷装置に送信し、住所が函館市の場合は函館から近い札幌に設置された印刷装置に送信し、住所が福岡市の場合は福岡に設置された印刷装置に送信する。
【００７６】
なお、本発明は、上記し、且つ図面に示した実施例に限定することなく、その要旨を変更しない範囲内で適宜変形して実施できるものである。
【図面の簡単な説明】
【００７７】
【図１】本発明に係る印刷管理装置の機能的な構成の実施例１を示すブロック図である。
【図２】印刷指示装置から印刷管理装置を介した印刷装置へのフォームデータの登録の処理について説明するシーケンス図である。
【図３】印刷指示装置、印刷管理装置および印刷装置で行なわれるバリアブル印刷の処理について説明するシーケンス図である。
【図４】本発明に係る印刷管理装置の機能的な構成の実施例２を示すブロック図である。
【図５】印刷指示装置から印刷管理装置を介した印刷装置Ａ、Ｂ、Ｃへのフォームデータの登録の処理について説明するシーケンス図である。
【図６】印刷指示装置、印刷管理装置および印刷装置Ａ、Ｂ、Ｃで行なわれるバリアブル印刷の処理について説明するシーケンス図である。
【図７】本発明に係る印刷管理装置を適用したバリアブル印刷システムによる分散印刷の具体例を示す図である。
【符号の説明】
【００７８】
１    印刷管理装置
２    印刷指示装置
３、３１、３２、３３    印刷装置
４    バリアブル印刷システム
５    ＤＢ
６    印刷指示部
７    バリアブルデータ管理部
８    フォームデータ作成部
９１、９２、９３、９４    通信部
１０    フォームデータ保管部
１１    フォームデータ操作部
１２    印刷装置情報取得部
１３    バリアブルデータ解析部
１４    分割部
１５    送信部
１６    フォームデータ取得部
１７    印刷装置情報転送部
１８    出力部
【図１】
2008112376.tif 000003
【図２】
2008112376.tif 000004
【図３】
2008112376.tif 000005
【図４】
2008112376.tif 000006
【図５】
2008112376.tif 000007
【図６】
2008112376.tif 000008
【図７】
2008112376.tif 000009